(57)【要約】【課題】メモリーカードの着脱操作を簡単に行なうことができる電子機器を提供する。【解決手段】カメラ本体１２の裏面には、メモリーカード３４の平面形状とほぼ同じ形状の凹部として形成されたカード装着部３０が形成されている。このカード装着部３０にメモリーカード３４を嵌め込み、カバー３２をすることで、メモリーカード３４がカメラ本体１２に装着される。【選択図】    図１
2004171424.tif 000002
【特許請求の範囲】
【請求項１】
機器本体に形成されたカード装着部に半導体メモリを用いたメモリーカードを装着し、該メモリーカードにアクセスしてデータの読み出し又は書き込みを行なう電子機器において、
前記カード装着部は、前記機器本体に前記メモリーカードの平面形状とほぼ同じ形状の凹部として形成され、前記メモリーカードは、該凹部に上方から嵌め込まれて装着されるとともに、該凹部が開閉自在なカバーで覆われることを特徴とする電子機器。
【請求項２】
前記カバーの裏面には押圧部材が取り付けられ、該押圧部材は、前記カバーが閉められると、前記凹部内に嵌め込まれたメモリーカードを押圧して、その端子を前記凹部内に形成された端子に擦り付けながら接触させることを特徴とする請求項１に記載の電子機器。
【請求項３】
前記電子機器は、メモリーカードにアクセスして画像データの読み出し又は書き込みするデジタルカメラであることを特徴とする請求項１又は２に記載の電子機器。
【発明の詳細な説明】
【０００１】
【発明の属する技術分野】
本発明は電子機器に係り、特にデジタルカメラやデジタルオーディオプレーヤーなどのように半導体メモリを用いた交換可能なメモリーカードを記憶媒体として使用する電子機器に関する。
【０００２】
【従来の技術】
一般にデジタルカメラやデジタルオーディオプレーヤーなどの電子機器は、そのデータの記録媒体として駆動装置が不要な半導体メモリを用いたメモリーカードを使用する。このメモリーカードは、機器本体に形成されたカードスロットに差し込むことで機器本体に装着される。また、特許文献１（特開平１１−２４３５１９号公報）では、このメモリーカードの装着方法として、カメラ本体の裏側に裏蓋によって開閉されるメモリーカード格納部を形成し、このメモリーカード格納部に形成されたガイド溝に沿ってメモリーカードを挿入することでカメラにメモリーカードを装着する方法が提案されている。
【０００３】
【特許文献１】
特開平１１−２４３５１９号公報
【０００４】
【発明が解決しようとする課題】
しかしながら、細い隙間として形成されるスロットやガイド溝にメモリーカードを差し込んで装着する場合、スロットや溝に対してメモリーカードの位置合わせが必要となり、メモリーカードの装着に手間がかかるという欠点がある。また、メモリーカードの裏表の挿入方向が分りづらく、誤った方向に差し込んでメモリーカードを破損するという欠点もある。
【０００５】
本発明はこのような事情に鑑みてなされたもので、メモリーカードの着脱操作を簡単に行なうことができる電子機器を提供することを目的とする。
【０００６】
【課題を解決するための手段】
請求項１に係る発明は、前記目的を達成するために、機器本体に形成されたカード装着部に半導体メモリを用いたメモリーカードを装着し、該メモリーカードにアクセスしてデータの読み出し又は書き込みを行なう電子機器において、前記カード装着部は、前記機器本体に前記メモリーカードの平面形状とほぼ同じ形状の凹部として形成され、前記メモリーカードは、該凹部に上方から嵌め込まれて装着されるとともに、該凹部が開閉自在なカバーで覆われることを特徴とする電子機器を提供する。
【０００７】
また、請求項２に係る発明は、前記目的を達成するために、前記カバーの裏面には押圧部材が取り付けられ、該押圧部材は、前記カバーが閉められると、前記凹部内に嵌め込まれたメモリーカードを押圧して、その端子を前記凹部内に形成された端子に擦り付けながら接触させることを特徴とする請求項１に記載の電子機器を提供する。
【０００８】
また、請求項３に係る発明は、前記目的を達成するために、前記電子機器は、メモリーカードにアクセスして画像データの読み出し又は書き込みするデジタルカメラであることを特徴とする請求項１又は２に記載の電子機器を提供する。
【０００９】
本発明によれば、メモリーカードは、メモリーカードの平面形状とほぼ同じ形状の凹部として形成されたカード装着部に上方から嵌め込むことで電子機器に装着される。これにより、簡単にメモリーカードをカード装着部に装着できる。
【００１０】
【発明の実施の形態】
以下、添付図面に従って本発明に係る電子機器の好ましい実施の形態について詳説する。
【００１１】
図１、図２は、それぞれ本発明が適用されたデジタルカメラの一実施形態を示す正面斜視図と背面斜視図である。
【００１２】
図１に示すように、カメラ本体１２の正面には、撮影レンズ１４、ファインダ窓１６、ストロボ１８等が設けられており、上面にはレリーズボタン２０が設けられている。また、図２に示すように、カメラ本体１２の背面には、ファインダ接眼部２２、液晶モニタ２４、操作スイッチ類２８、２８、…及びカード装着部３０のカバー３２が設けられている。
【００１３】
このデジタルカメラ１０は、撮影レンズ１４で捉えた被写体像を内蔵するカメラ本体１２に内蔵されたＣＣＤで電気信号に変換し、これを信号処理することにより、電子画像データとしてカード装着部３０に装着されたメモリーカード３４に記録する。
【００１４】
メモリーカード３４は、図３に示すように、半導体メモリ（不図示）を外装体３６でパッケージングすることにより構成され、その裏面に設けられた端子３８を介してデータの読み書きが行われる。この外装体３６は、矩形の薄板状に形成されており、その表面にはインデックスラベル４０が貼付されている。
【００１５】
カード装着部３０は、図４に示すように、メモリーカード３４の平面形状と同じ矩形状の凹部としてカメラ本体１２の背面に形成されており、その上面開口部をカバー３２によって開閉自在に覆われている。
【００１６】
このカード装着部３０の底面には、端子４２が設けられており、この端子４２にカード装着部３０に装着されたメモリーカード３４の端子３８が接触されて、メモリーカード３４とカメラ本体１２とが電気的に接続される。
【００１７】
一方、カバー３２は、カメラ本体１２の背面と側面の一部を構成するようにＬ字状に形成されており、その基端部に形成された回転軸４４を介してカメラ本体１２に揺動自在に支持されている。このカバー３２には、透明な窓４６が形成されており、この窓４６を介してメモリーカード３４の装着の有無が確認できるようにされている。
【００１８】
また、このカバー３２は樹脂材で成形されており、その先端の内側面に突出して形成された爪４８をカメラ本体１２の側面部に形成された爪穴５０に嵌め込むことにより、カメラ本体１２にロックされる。
【００１９】
また、このカバー３２で覆われるカメラ本体１２の裏面には、カード装着部３０に装着されたメモリーカード３４を取り出すための溝５２が形成されている。ユーザは、この溝５２に指を入れ、メモリーカード３４を下から押し上げることにより、カード装着部３０に嵌め込まれたメモリーカード３４を取り出す。
【００２０】
以上のように構成された本実施の形態のデジタルカメラ１０によれば、メモリーカード３４は、次のようにしてカメラ本体１２に装着される。
【００２１】
すなわち、カメラ本体１２の裏面を上側に向けた状態でカード装着部３０のカバー３２を開き、カード装着部３０の上方からカード装着部３０の内側へ落とし込むようにして、メモリーカード３４をカメラ装着部３０に嵌め込む。この際、メモリーカード３４に形成された端子３８が下側に向くようにして、メモリーカード３４をカメラ装着部３０に嵌め込む。
【００２２】
カメラ装着部３０に嵌め込まれたメモリーカード３４は、その端子３８が、カード装着部３０の底面に設けられた端子４２に接続されるので、この状態でカバー３２を閉じ、爪４８を爪穴５０に嵌め込んでロックする。これにより、装着が完了し、カメラ本体１２側からメモリーカード３４に対してデータの読み書きが可能になる。
【００２３】
このように、本実施の形態のデジタルカメラ１０によれば、メモリーカード３４のカード装着部３０が、メモリーカード３４の平面形状と同じ凹部として形成されているので、誰もが簡単にメモリーカード３４をカード装着部３０に装着することができる。
【００２４】
また、メモリーカード３４の装着方向が一目で分かるので、装着方向を間違えることによって生じるメモリーカード３４の破損を効果的に抑止することができる。
【００２５】
さらに、窓４６を介してメモリーカード３４が、カード装着部３０に装着されているか否かを一目で確認することができるので、カメラの使い勝手を向上させることができる。
【００２６】
図５は、本発明が適用されたデジタルカメラの第２の実施の形態の要部の構成を示す断面図である。
【００２７】
本実施の形態のデジタルカメラは、上述した第１の実施の形態のデジタルカメラ１０に端子のセルフクリーニング機構を付加したものである。なお、上述した第１の実施の形態のデジタルカメラと同じ構成部材には同じ符号を付して、その説明は省略する。
【００２８】
図５に示すように、カメラ本体側の端子４２は、板バネ状に形成されており、カード装着部３０の底面からカード装着部３０内に突出して設けられている。このカード装着部３０の先端内壁面３０Ａは、樹脂材によって板バネ状に形成されており、弾性変形することによって上辺部を支点として前後方向に揺動可能に形成されている。
【００２９】
また、カバー３２の内側には、コーナー部にクサビ状の押圧部５４が形成されている。この押圧部５４は、カバー３２を閉めると、図５（ｂ）に示すように、その傾斜面５４Ａがカード装着部３０に嵌め込まれたメモリーカード３４の後端上縁部に係合し、メモリーカード３４を前方に押圧する。この結果、メモリーカード３４は、板バネ状に形成された先端内壁面３０Ａの弾性復元力に抗して前方にスライドし、所定の位置に装着される。そして、この際、メモリーカード３４は、その裏面に形成された端子３８が、板バネ状に形成されたカメラ本体側の端子４２に擦られながら所定位置に装着される。
【００３０】
このように、端子同士が擦られながら装着されることにより、端子面に付着する汚れ等が、メモリーカード３４の装着のたびに取り除かれ、確実に端子同士を接触させることができる。
【００３１】
なお、上記の実施の形態では、カバー３２を揺動させてカード装着部３０を開閉するように構成しているが、カバー３２をスライドさせて開閉するように構成してもよい。
【００３２】
また、上記のメモリーカード３４は、本発明の一実施形態を示すものであり、本発明はスマートメディアやコンパクトフラッシュカード等の半導体メモリを用いた既存のメモリーカードにも同様に適用することができる。
【００３３】
また、上記の実施の形態では、本発明をデジタルカメラに適用した例で説明したが、メモリーカードを使用する電子機器であれば全てに適用することができる。たとえば、デジタルカメラのほかビデオカメラやデジタルオーディオプレイヤ、ＰＤＡ、パーソナルコンピュータ、ＩＣレコーダ、メモリーカードリーダ・ライタ等の電子機器に適用することができる。
【００３４】
【発明の効果】
以上説明したように、本発明によれば、凹部として形成されたカード装着部にメモリーカードを嵌め込むだけで、メモリーカードをカード装着部に装着することができるので、誰もが簡単にメモリーカードを電子機器に装着することができる。
【図面の簡単な説明】
【図１】本発明が適用されたデジタルカメラの一実施形態を示す正面斜視図
【図２】本発明が適用されたデジタルカメラの一実施形態を示す背面斜視図
【図３】メモリーカードの外観構成を示す斜視図
【図４】本発明が適用されたデジタルカメラの一実施形態を示す背面斜視図
【図５】本発明が適用されたデジタルカメラの第２の実施の形態の要部の構成を示す断面図
【符号の説明】
１０…デジタルカメラ、１２…カメラ本体、１４…撮影レンズ、１６…ファインダ窓、１８…ストロボ、２０…レリーズボタン、２２…ファインダ接眼部、２４…液晶モニタ、２８…操作スイッチ、３０…カード装着部、３０Ａ…先端内壁面、３２…カバー、３４…メモリーカード、３６…外装体、３８…端子、４０…インデックスラベル、４２…端子、４４…回転軸、４６…窓、４８…爪、５０…爪穴、５２…溝、５４…押圧部、５４Ａ…傾斜面
【図１】
2004171424.tif 000003
【図２】
2004171424.tif 000004
【図３】
2004171424.tif 000005
【図４】
2004171424.tif 000006
【図５】
2004171424.tif 000007